(57)【要約】【課題】        グリーン上のボール転がり長さとパターヘッドのスピードには或る関係式が存在する。このヘッドスピードを得る簡単な方法としてパターと腕を一体にした振り子式パッティングがある。しかし実際にはゴルフ場のグリーン芝はその特性と管理状態によって、特にロングパットは同じテークバック量でも転がる距離が大きくずれていた。【解決手段】        本発明は上記課題を解決するもので、プレー前の練習グリーン上でフラットな場所を選び、推奨テークバック量の読取りラベルにある最大値でパッティングした時の転がり長さを計測する。その計測時の目線交差位置に先のテークバック量が来る様にラベルを移動させて簡易的に補正する手段と、パターを持つ腕の長さを調整して目線交差位置に試打テークバック量を合わせ、実戦でもその腕の長さで計測する補正手段がある。【選択図】図３
2007125332.tif 000002
【特許請求の範囲】
【請求項１】
グリップ終端部もしくはその周辺に設けた貫通穴を基準に、シャフト部にかけて或る間隔毎に目盛りを設け、グリーン上のボール位置でパターを吊り下げ、持った腕を伸ばしたまま前記目盛りの基準を目の高さに合わせ、カップを覗いた目線と交差する前記グリップ上の目盛り位置から、カップまでの距離と振り子式パッティングのテークバック量を同時に求める機能付パターにおいて、
前記目盛り毎に読取るテークバック量記載のラベルは、前記距離計測用目盛りを印字した透明材の長尺ホルダーに保持されていて、このホルダーは前記グリップに装着されていることを特徴とした距離計測機能付パター。
【請求項２】
テークバック量読取りラベルは前記透明材の長尺ホルダーの中で、外部の力で長尺方向にスライド可能としたことを特徴とする請求項１記載の距離計測機能付パター。
【請求項３】
テークバック量読取りラベルは伸縮自在の素材で構成し、ラベル下端を前記長尺ホルダー下端に固定し、前記ラベル上端の目盛り基準位置を上下可動にして、前記長尺ホルダーにストッパーを設けて、前記ラベル上端を所定の位置に止めることを特徴とする請求項１記載の距離計測機能付パター。
【発明の詳細な説明】
【技術分野】
【０００１】        ゴルフのパッティングで重要なことはファーストパットでカップから１ｍ以内に付ける距離感と、セカンドパットで確実にカップインする精確性にある。しかしコースによってはグリーンの速い、重いがあって、常に的確なパッティングが出来るまでにはプレーの場数を踏む必要から、従来は膨大な時間とプレー費用を掛けていた。本発明はグリーンの特性に合わせて短時間で適切なパッティングに補正できる手段を提供するものである。
【背景技術】
【０００２】        ゴルフのグリーン上でボールからカップまでの距離を精確に計測する手段と、その距離数に合った振り子理論によるパッティング法は既に下記特許・実用新案等で明示されている。
【特許文献１】        実願２００３−００３９３６  距離計測機能付きパター
【特許文献２】        実願２００３−２７２９７３  距離計測機能付パター
【特許文献３】        特願２００５−５０４５０４  距離計測機能付パター
【特許文献４】        特願２００５−１８８９０８  ゴルフ用パター
しかしこれら文献の振り子理論によるテークバック量はグリーン芝の平均的な抵抗値を基に計算しいるため、システム的に抵抗値変更の出来る電子回路組込みタイプは別として、計測用目盛り付きパターはコース特性に合わせる為の工夫が必要であった。
【発明の開示】
【発明が解決しようとする課題】
【０００３】        カップまでの距離計測法は伸ばした腕でボール真上にパターを吊り下げ、グリップ終端を目の高さに合わせて、カップを見る目線と交差するグリップ上の目盛り位置から幾何学的に求めるものである。他方振り子理論によって求めるテークバック量と転がる距離の関係は平均的グリーン芝の抵抗値に基づくもので、グリップ上の絶対的距離計測用目盛りに相対的テークバック量の記載は、コースによって合わない場合が発生する。
【課題を解決するための手段】
【０００４】        上記課題を解決する簡易的な手段には２つある。１）つは絶対的距離計測用目盛りと相対的テークバック量記載の目盛りは一体とせずに、それぞれの目盛りの位置関係を機械的にずらすことで、グリーン芝の特性に合わせる手段と、２）つにはパターを持つ腕の長さを調節することで、推奨テークバック量に対するボールの転がり距離計測を芝の抵抗に合わせて意図的に伸縮させる手段である。
即ち、プレー前の練習グリーン上で平坦な場所を選び、テークバック量最大値でパッティングした時に転がったボールに対し、１）つはパターを持つ腕の長さは一定のまま、目線交差位置にラベル記載の推奨テークバック最大目盛りが来る様にラベルの位置を動かして初期補正する手段と、２）つにはラベルの位置は初期状態のままにしてパターを持つ腕の長さを調整して、目線交差位置にラベル記載の推奨テークバック最大目盛りが来る様に補正する。以後実戦では１つの手段を選択して各補正量を織り込み、カップまでの距離計測によって推奨テークバック量を読取るのである。
【発明の効果】
【０００５】        本発明は先に記載した特許文献３の距離計測機能付パターにおいて、距離計測を機械的に読取る方式であってもグリーン芝の抵抗値変化に対して、有効に使用できる手段を提供するものである。ここでは前述の１）の手段について詳述し、２）の手段については数値解析による裏付けを添付しておく。
【発明を実施するための最良の形態】
【０００６】        第１図で示す様にカップＡまでの距離数はプレーヤの身長Ｌと体型Ｋ１、Ｋ２によって幾何学的に求められる。即ちグリーン傾斜θ＝０の場合、ボールＢ位置にパター１を吊り下げ、持った腕は伸ばしたままグリップ終端Ｄをプレーヤの目の高さＥに合わせてカップＡを覗いた時、目線と交わるグリップ位置Ｐから距離Ｘが次式で求まる。
Ｘ＝（Ｋ１・Ｋ２・Ｌ２／ＤＰ）−Ｋ２・Ｌ
ただし  Ｋ１：目の高さ／身長        Ｋ２：腕の長さ／身長
グリップ表面の距離表示は例えば身長１７０ｃｍを基準に設けたとしても、異なる身長のプレーヤがこのパターを使う場合は、巻尺等を使って既知の距離数を正しく計測する最適なＫ２の値、即ちパターを持つ腕の長さの最適値を事前に把握しておけば良い。
【表１】
2007125332.tif 000003
【０００７】        第２図はパッティング動作を腕とパターを一体にした振り子Ｒとしてモデル化、テークバックして振り子に蓄えた位置エネルギーの一部は、パッティング後のボールが転がる過程で転がり抵抗と位置エネルギーに消失する。
パター先端の等価重量Ｍ、振り子長さＲ、テークバック量Ｔとした場合、パターに蓄えられる位置エネルギーはボールＢに当たる直前で全て運動エネルギーに変わるものとして、
ＭＶ２／２ｇ＝ＭＲ（１−ｃｏｓβ）            β：パターの振上げ角
但し    ｓｉｎβ＝Ｔ／Ｒ、    Ｖ：パター速度、      ｇ：重力加速度
ボールに当たった瞬間は運動量保存の法則から
ＭＶ＝（１−Ｋ）ＭＶ＋ｍｖ＋ε
但しｍ：ボール重量、ｖ：ボール初速、Ｋ：パター／ボール間の運動量伝達率
ε：ボールの非線形歪み等によるエネルギー損失による運動量
ｍｖ≒ＫＭＶ      （ε≒０    量的には少ないので無視する）【０００８】初速ｖを得たボールＢはグリーン傾斜角θの所でＸだけ転がったとすると、
ｍｖ２／２ｇ＝ｍμＸ＋ｍＸｓｉｎθ    但しμ：グリーン芝の転がり抵抗係数
これらの式からボール転がり量Ｘとパターのテークバック量Ｔとの関係は
Ｔ＝Ｒｓｉｎβ            Ｖ２＝２ｇＲ（１−ｃｏｓβ）
但し  β＝ｃｏｓ−１（１−（ｍ／ＫＭ）２・（Ｘ／Ｒ）・（μ＋ｓｉｎθ））
グリーン傾斜角θ＝０°の場合のボール転がり量Ｘ（ｃｍ）に対する必要な振り子のテークバック量Ｔ１（ｃｍ）の関係を、身長１７０ｃｍを例に求めたのが表２である。【０００９】
【表２】
2007125332.tif 000004
次にグリーン上の転がりが重い場合を想定し、初期μ値を約３割ＵＰした時のグリップ目盛りに対するテークバック量Ｔ２を求めたのが表３である。
【表３】
2007125332.tif 000005
【００１０】        これらを比較すると、表２の絶対距離（Ｘ）の計測用目盛り（Ｙ）に対し、初期μ値のテークバック量（Ｔ１）表示ラベルを基準位置から約０．６ｃｍシフトする事で、グリーンが重いμ値１．３倍でカップまでの距離約１０ｍ以上は、表３とほぼ同様のＹとＴ２の関係が得られる。
【表４】
2007125332.tif 000006
このことは未知のグリーン芝抵抗値でプレーをする場合、練習グリーン上で最大テークバック量のパッティングから、正規の距離計測法によってボール位置をグリップの目盛りで読取り、その位置に先のテークバック最大目盛りが来る様にラベルを移す事で、芝の抵抗値変化が補正される事を意味する。実戦ではカップまでの距離１０ｍを目安に、それ以上のパットはテークバック読取りラベルをずらして距離計測し、１０ｍ以下では元の位置にラベルを戻してやや多目の読取り量でパッティングすると良い。
或いは１０ｍ以下ではμ値の３割ＵＰでもテークバック量に大きな違いが生じないことを利用して、テークバック量読取りラベルを伸縮機能を持った素材で作り、グリップ目盛り（Ｙ）の最大位置で伸縮ラベルの下端を固定し、上端は任意に移動できるようにしておくと、練習グリーン上でのプリセットで全計測範囲の補正は完了する。【００１１】        他方、絶対距離Ｘの計測をする代わりにボールの転がり距離とテークバック量の関係のみに着目し、練習グリーン上で最大テークバック量Ｔでパッティングした後、目線のボール位置に先のテークバック量Ｔに相当するＹ位置を合わせ、その時の目の高さと目盛り基準位置とのズレ量を読み取る。実戦は大よそ１０ｍを境にカップが遠い場合はグリップ終端位置をずらし、カップが近い場合は正規のグリップ位置で距離計測する。もしくはカップまでの距離に応じて０（ゼロ）から最大ズレ量までを比例配分的にグリップ終端位置を動かして、最適なテークバック量を読取っても良い。【００１２】        次にパターを持つ腕の長さで芝面の抵抗変化に対処する手段を説明する。
標準的な芝の抵抗値μの下、テークバックＴ１でパッティングした時の転がる距離数Ｘ１を計測する腕の長さ比Ｋ２は０．３６である。芝の抵抗値μが３割ＵＰした場合のボール転がり量Ｘ２は表４に示す通りである。これを同一のテークバック量Ｔ１でショットし、同一の目盛りで計測する場合、腕の長さ比Ｋ２＝０．２８にすることで最適な推奨テークバックを読取れることを表５は示している。
【表５】
2007125332.tif 000007
【００１３】        ここで振り子理論に基づくパッティング方法を述べておく。
両靴の先端間隔は肩幅にとって、上半身を浅く前傾してボールの真上に左目（右利き）が来るように立つ。右手先行でグリップを軽く掴みその後左手人差し指を右手に掛ける逆オーバーラップの場合、パターシャフトのライ角は右手に馴染む約７０度前後が良い。他方左手先行でグリップを軽く掴み、右手の小指をオーバーラップさせて軽く掴む場合は、右手の接触面積が少ない分グリップの安定性に欠け、パターの自重でヘッド先端が垂れ下ってスイング軌道がずれ易い。従ってクラブのライ角を約７５〜８０度にして、パター自重によるクラブ先端の垂れ下り量を最初から考慮したパッティングの構えを採ると良い。
テークバックは肩幅／２を基準に所定の量を目測し、ダウンスイングはパター自身の動きに手と腕を追従さ、ボールを打った後もテークバックと同じ振り幅をフォロースイングに取る。ここで留意することは頭位置を静止させて両腕の形を崩さずに振り、振り幅が大きくなればなるほど両肩を十分に上下動する事である。即ち、振り子に重力加速度を与えて計算値通りのヘッドスピードを得るには、両肩の動きで両腕にパターと同等の加速度を与えなければならない。
打った瞬間にボールを引っ掛けない為には左肩を上げてパターヘッドをボールの真上方向に振り抜くフォロースイングを採れば良い。そのためにもパッティング動作中は頭を常に静止させ、振り子の軌道面はできるだけ立てた方が色々な面で安定する。
【実施例】
【００１４】        本発明の実施例を図に従って具体的に説明する。図３は距離計測機能付パター１のグリップ２に装着するラベル３とそのホルダーの概観を示している。長尺ホルダー４は透明材で成型して表面には、或る身長を基準に絶対距離計測用の目盛りと距離数Ｆが印刷されている。この長尺ホルダー４の背面には粘着性部材を塗布しておき、グリップ２に貼り付けられている。或る身長とグリーン芝抵抗値を基に算出されたテークバック量Ｔの読取りラベル３は長尺ホルダー４に収納されているが、或る範囲の中で外力によってスライドできるスペースを長尺ホルダー４は持っている。即ち芝抵抗が強い場合はラベル３を下げて推奨テークバック量を多く読める様にする。その時の下げ幅は練習場の試打によって決めれば良い。【００１５】        図４はラベルの素材を伸縮自在の生地５にして、芝面の転がり抵抗変化を機械的に補正する手段を示している。化学繊維で伸縮自在の織り方による生地５には、目盛りと推奨テークバック量を印刷しておき、ラベル下端６は長尺ホルダー４に固定する。練習グリーン上でラベル５記載の最大テークバックで試打した後、ボールの転がり距離計測で目線交差位置に先のテークバック量を合わせる様に、ラベル上端７を上下させてストップ機構８で固定する。透明材で成型されたカバー９には正規の距離計測用目盛りと距離数が印刷されている。尚、伸縮自在のラベルの上端部７を移動させる方法として、ブレーキ機構付のドラムによる巻上げ方式であっても良い。【００１６】        距離計測用目盛りとテークバック読取り用目盛りを分離することにより、何時でも正確な距離計測が出来る一方、コースによってグリーン芝抵抗値が変化しても容易に補正できる。他方、カップまでの距離を転がすに必要なテークバック量を読取るだけであれば、グリーン芝抵抗値の補正方法は目の高さからグリップ終端を適宜ずらすか、パターを持つ腕の長さを実戦前の練習グリーン上で適宜矯正すれば良く、パター製造元でラベル表示内容をグリップに刻印することが可能である。
【図面の簡単な説明】
【００１７】
【図１】        カップまでの距離計測法
【図２】        振り子モデルにおけるテークバック量とボール転がり量の関係
【図３】        テークバック読取りラベルの移動による転がり抵抗変化対応手段
【図４】        伸縮自在のラベルを組込んだ転がり抵抗変化対応手段
【符号の説明】
【００１８】１．        距離計測機能付パター
２．        パターグリップ
３．        推奨テークバック量読取り用ラベル
４．        長尺ホルダー
５．        伸縮自在のラベル
６．        伸縮自在ラベルの下端部
７．        伸縮自在ラベルの上端部
８．        伸縮自在ラベルの上端部を固定するストップ機構
９．        透明材で成型したカバー
【図１】
2007125332.tif 000008
【図２】
2007125332.tif 000009
【図３】
2007125332.tif 000010
【図４】
2007125332.tif 000011